(57)【要約】      （修正有）【課題】見かけがより美しく、興趣を添えることができるボードゲームを提供する。【解決手段】ボードゲーム１は、第１の碁盤の目（九路目）が施された基盤２と、基盤２に着脱可能に取り付けられ、第１の碁盤の目より路数が少ない第２の碁盤の目（七路目）の各交点に配置される装飾が施された突起部４１を有する透明なカバー４と、基盤２とカバー４との間に交換可能に配置されるカード６と、裏面（底部）に突起部４１に着脱可能に嵌合する嵌合凹部を有するコマ（碁石３）と、を備える。カードは、カバーを通して視認可能な位置にゲーム面を記載するゲーム面記載部６２と、カバーからはみ出る位置にゲームに関する情報を記載する詳細記載部６１と、を備える。【選択図】図１
0003217482.tif 000002
【実用新案登録請求の範囲】
【請求項１】
第１の碁盤の目が施された基盤と、
前記基盤に着脱可能に取り付けられ、前記第１の碁盤の目より路数が少ない第２の碁盤の目に配置される装飾が施された突起部を有する透明なカバーと、
前記基盤と前記カバーとの間に交換可能に配置されるカードと、
裏面に前記突起部に着脱可能に嵌合する嵌合凹部を有するコマと、
を備えるボードゲーム。
【請求項２】
前記カードは、
前記カバーを通して視認可能な位置にゲーム面を記載するゲーム面記載部と、
前記カバーからはみ出る位置にゲームに関する情報を記載する詳細記載部と、
を備える請求項１に記載のボードゲーム。
【請求項３】
前記突起部は、
側断面の幅が上方に向かって狭くなるように形成される請求項１に記載のボードゲーム。
【請求項４】
前記カバーは、
透明な材質によって一体に形成される請求項１に記載のボードゲーム。
【考案の詳細な説明】
【技術分野】
【０００１】
本考案は、ボードゲームに関する。
【背景技術】
【０００２】
例えば囲碁などの盤面にコマ、囲碁の場合には碁石を並べて楽しむボードゲームは従来多くの種類がある。これらのボードゲームの中には、ゲームのルールや対戦方法をある程度学ばないとゲームの面白みが実感できないものがある。そこで、ゲームを学習するための種々の器具の提案がなされてきた。
【０００３】
例えば、通常の碁盤の路数より少ない路数の路が設けられる基盤と、この基盤に装着される透明カバーと、基盤と透明カバーの間に差し込まれる路数がさらに少ない路が設けられる支援カードと、を備える碁盤が提案されている（例えば、特許文献１。）。
【０００４】
この技術によれば、より少ない路数の路を用いて基本的な碁の打ち方を学習できる。さらに、透明カバーには、碁石を置く場所に突起を設けられ、碁石にはこの突起が嵌まり込む凹部を設けられる。この構成によって、初心者は将棋と違って碁の場合には路の交点に石を置くというルールを学習することができる。
【０００５】
しかし、この突起は直方体をなしており、ゲームの盤面としては見かけが味気ないものとなっていた。
【０００６】
またさらに、碁石を使ったいわゆる「陣取りゲーム」においては、この突起が得点を数えるのに使用されるのだが、見かけがただの突起になっており、囲碁の陣取りのルールの理解を助け、子供の競技意欲をそそるものとはなっていなかった。
【先行技術文献】
【特許文献】
【０００７】
【特許文献１】実用新案登録第３１３３０９４号公報
【考案の概要】
【考案が解決しようとする課題】
【０００８】
本考案が解決しようとする課題は、見かけがより美しく、囲碁の陣取りのルールの理解を助け、子供の競技意欲をそそることができるボードゲームを提供することである。
【課題を解決するための手段】
【０００９】
本考案は、第１の碁盤の目が施された基盤と、前記基盤に着脱可能に取り付けられ、前記第１の碁盤の目より路数が少ない第２の碁盤の目に配置される装飾が施された突起部を有する透明なカバーと、前記基盤と前記カバーとの間に交換可能に配置されるカードと、裏面に前記突起部に着脱可能に嵌合する嵌合凹部を有するコマと、を備えるボードゲームを提供する。
【考案の効果】
【００１０】
本考案によれば、見かけがより美しく、囲碁の陣取りのルールの理解を助け、子供の競技意欲をそそることができるボードゲームを提供することができる。
【図面の簡単な説明】
【００１１】
【図１】本実施形態のボードゲームの斜視図。
【図２】ボードゲームのカバーを外した状態を示す斜視図。
【図３】ボードゲームの平面図。
【図４】ボードゲームの図３における側面図及び断面図。
【図５】図３のＤの部分の拡大図及び部分断面図。
【図６】カバーの平面図。
【図７】カバーの側面図及び断面図。
【図８】突起部の平面図及び断面図。
【図９】碁石の底面図及び断面図。
【図１０】カードの平面図。
【考案を実施するための形態】
【００１２】
以下、本考案のボードゲーム１の一実施形態を、図面を参照しながら説明する。
【００１３】
図１は本実施形態のボードゲーム１の斜視図、図２はボードゲーム１のカバーを外した状態を示す斜視図である。
【００１４】
図１及び図２に示すように、ボードゲーム１は、基盤２と、コマ（碁石３）と、カバー４と、碁笥蓋５と、カード６と、を備える。
【００１５】
基盤２は、厚みのある矩形の板形状をなし、長手方向両端にそれぞれ、競技者の碁石を入れる碁笥部２１及び取得した相手方競技者の碁石を入れる碁石入れ２２を有する。基盤２の長手方向中心部の表面には九路の碁盤の目（以下、九路目２３という。）が設けられる。
【００１６】
基盤２はさらに、九路目２３の各縁のうち碁笥部２１が設けられる縁及びその他の縁のうち一方に嵌合孔２４が設けられる。
【００１７】
嵌合孔２４には、カバー４の嵌合突起４３が着脱可能に嵌め込まれる。
【００１８】
カバー４は合成樹脂やガラスなどの透明な材質によって形成される。カバー４は平面視が略正方形をなし、嵌合孔２４に対応する位置に嵌合突起４３を有する。
【００１９】
カバー４は中央部が略正方形に窪みを有する。カバー４は、少なくともこの凹み部分、つまり九路目２３に対応する部分が透明である。その他の部分は、不透明であっても印刷が施されていてもよい。
【００２０】
カバー４を基盤２に装着すると、窪みの部分の内部に九路目２３のうち縦横それぞれ七路ずつのマス目がカバー４を通して視認できる。
【００２１】
カバー４の九路目２３の各路の交点に対応する位置には突起部４１が設けられる。突起部４１には装飾が施される。この装飾によって、競技者の囲碁の陣取りのルールの理解を助け、子供の競技意欲をそそることができる。
【００２２】
突起部４１は、例えばいわゆる「陣取りゲーム」の得点位置を示すことにもなるため、装飾が施されていると、そこが得点ポイントであることが容易にわかるだけでなく、興趣を添えることにもなる。
【００２３】
突起部４１の装飾は、例えば、宝石を模した形状である宝石形、星形、ケーキや野菜のような食べ物の形状など、特に子供が喜ぶような素材をモチーフにした形状であることが望ましい。また、突起部４１の装飾は色彩を有していても、図柄が印刷されていてもよい。本実施形態においては、突起部４１に宝石形の装飾が施された例について説明する。
【００２４】
カバー４は、突起部４１と、嵌合突起４３と、が一体に形成される。
【００２５】
カバー４が基盤２に取り付けられた場合、カバー４の嵌合突起４３が設けられていない側からカード６が、基盤２とカバー４との間に差し込まれる。
【００２６】
カバー４は透明であるため、カバー４を通してカード６に記載された内容を視認することができる。
【００２７】
碁笥蓋５は、碁笥部２１と碁石入れ２２とをともに覆う形状をなし、基盤２に対して着脱可能に取り付けられる。
【００２８】
図３は、ボードゲーム１の平面図である。図３においては、基盤２にカバー４、碁笥蓋５がそれぞれ取り付けられている状態を示す。図４は、ボードゲーム１の図３における側面図及び断面図である。図４（Ａ）は図３におけるＸ矢視を、図４（Ｂ）は図３におけるＡＡ断面図を、図４（Ｃ）は図３におけるＢＢ断面図を、図４（Ｄ）はＣＣ断面図を、それぞれ示す。
【００２９】
図３及び図４に示すように、カバー４は基盤２の長手方向の一方の側面、図３においては右側に寄って取り付けられる。従って、カバー４の他方の側面側、図３においてはカバー４の左側には、基盤２の上にスペースが空く。
【００３０】
図４（Ａ）及び図４（Ｃ）に示すように、カバー４の嵌合突起４３が設けられる縁には壁部４４が設けられ、嵌合突起４３が設けられない縁には壁部４４は設けられない。従って、カバー４を基盤２に取り付けた場合、カバー４の嵌合突起４３が設けられない縁にはカード６が挿入可能なスリット４６が開く。
【００３１】
図４（Ｂ）及び図４（Ｃ）に示すように、碁石３の裏面には突起部４１と着脱可能に嵌合する嵌合凹部３１（図９参照。）が設けられる。
【００３２】
競技者は、突起部４１に碁石３の嵌合凹部３１を嵌め込むことにより、初心者であっても間違えて碁石をマス目の中に配置することはなくなり、ゲームのルールを容易に習得できるという効果がある。また、突起部４１に碁石３の嵌合凹部３１が嵌め込まれているため、碁石３がずれにくく、盤面の状況がより分かりやすくなるという効果がある。
【００３３】
図４（Ｄ）に示すように、碁笥部２１と碁石入れ２２とは、幅が碁笥部２１の方が広く、碁石を入れるのに適した深さを有する。
【００３４】
図５は、図３のＤの部分の拡大図及び部分断面図である。図５（Ａ）は図３のＤの部分の拡大図、図５（Ｂ）は図５（Ａ）のＥＥ断面図である。
【００３５】
図５（Ｂ）に示すように、カバー４は突起部４１の裏面側に空隙４５を有する。従って、カバー４の突起部４１の押出し成型が容易になるとともに、材料の節約になる。
【００３６】
図６はカバー４の平面図、図７はカバー４の側面図及び断面図である。図７（Ａ）はカバー４の図６におけるＹ矢視図、図７（Ｂ）はカバー４の図６におけるＦＦ断面図、図７（Ｃ）はカバー４の図６におけるＺ矢視図、図７（Ｄ）はカバー４の図６におけるＧＧ断面図である。
【００３７】
図６及び図７に示すように、壁部４４は、カバー４の嵌合突起４３が設けられない縁に設けられる。壁部４４の高さはカード６の厚さより若干高い。壁部４４はカバー４の縁に沿って設けられる。
【００３８】
従って、カバー４を基盤２に取り付けた状態においてカード６をスリット４６から挿入した場合、壁部４４によって挿入方向及び挿入方向に対して垂直方向にカードがずれることが規制される。
【００３９】
図８は、突起部４１の平面図及び断面図である。図８（Ａ）は突起部４１の平面図、図８（Ｂ）は突起部４１の図８（Ａ）におけるＨＨ断面図である。
【００４０】
図８（Ａ）及び図８（Ｂ）に示すように、突起部４１は、例えば平面視が略正八角形をなし、側断面が底部から立ち上がり、上方に行くに従って若干幅が狭くなり、途中において鉛直方向に対して略４５°内側に傾き、その後水平面となる形状をなす。
【００４１】
従って、碁石３の嵌合凹部３１を突起部４１に嵌め込むのが楽である。
【００４２】
突起部４１は、その他の装飾形状を施される場合においても、断面視の幅が上部に行くに従って狭くなるように形成することが、嵌合凹部３１の突起部４１への嵌めやすさの点において望ましい。
【００４３】
図９は、碁石３の底面図及び断面図である。図９（Ａ）は碁石３の底面図、図９（Ｂ）は碁石３の図９（Ａ）におけるＩＩ断面図である。
【００４４】
図９（Ａ）及び図９（Ｂ）に示すように、碁石３の嵌合凹部３１は、突起部４１の外径より若干大きい内径を有し、底面視が円形をなす。
【００４５】
碁石３は、嵌合凹部３１を有する他は、通常の碁石と同様の大きさを有する。碁石３の形状は、通常の碁石が表裏同形状であるのに対し、裏面側に平坦部が設けられる。従って、碁石３は配置されたときにより安定するという効果がある。
【００４６】
図１０は、カード６の平面図である。図１０に示すように、カード６は、矩形板状の形状をなし、ゲームのルールや対戦表等のゲームに関する情報を記載する詳細記載部６１と、ゲーム面を記載するゲーム面記載部６２と、を備える。
【００４７】
カード６は、基盤２とカバー４との間に差し込まれた場合、詳細記載部６１はカバー４の外側に位置し、読み書きができ、ゲーム面記載部６２はカバー４の下部に視認可能に配置される。
【００４８】
ゲーム面記載部６２には、突起部４１を交点とする七路目に対応する路目６３が記載される。ゲーム面記載部６２には、参考となる碁石の配置である例示部６４を記載してもよい。この場合、競技者は初心者であっても、考え方の参考となる碁石の配置と対戦方法を学ぶことができる。
【００４９】
そして、競技者がある程度の技能に達した場合には、カバー４とカード６とを取り外し、九路目２３を用いて囲碁を楽しむことができる。
【００５０】
以上は、ボードゲーム１が囲碁に使用される場合について説明したが、ボードゲーム１は他のゲームにも使用できる。例えば、カード６のゲーム面記載部６２に他のゲームの盤面を記載することにより他のゲームに使用することもできる。また、ゲーム面記載部に、四路の碁盤の目を記載すれば、より初心者に適した囲碁を楽しむこともできる。
【００５１】
また、カバー４に十路の路目を設け、マス目内に突起部４１を設ければ、このカバー４に交換してゲーム面記載部６２に将棋盤が記載されたカード６を差し込めば、将棋を楽しむことができる。
【００５２】
以上述べたように、本実施形態のボードゲーム１は、第１の碁盤の目（九路目２３）が施された基盤２と、基盤２に着脱可能に取り付けられ、第１の碁盤の目（九路目２３）より路数が少ない第２の碁盤の目（七路目）の各交点に配置される装飾が施された突起部４１を有する透明なカバー４と、基盤２とカバー４との間に交換可能に配置されるカード６と、裏面（底部）に突起部４１に着脱可能に嵌合する嵌合凹部３１を有するコマ（碁石３）と、を備える。
【００５３】
従って、本考案の実施形態にかかるボードゲーム１は、見かけがより美しく、興趣を添えることができるという効果がある。
【符号の説明】
【００５４】
１  ボードゲーム
２  基盤
３  碁石
４  カバー
５  碁笥蓋
６  カード
２１  碁笥部
２３  九路目
２４  嵌合孔
３１  嵌合凹部
４１  突起部
４３  嵌合突起
４４  壁部
４５  空隙
４６  スリット
６１  詳細記載部
６２  ゲーム面記載部
６３  路目
６４  例示部
【図１】
0003217482.tif 000003
【図２】
0003217482.tif 000004
【図３】
0003217482.tif 000005
【図４】
0003217482.tif 000006
【図５】
0003217482.tif 000007
【図６】
0003217482.tif 000008
【図７】
0003217482.tif 000009
【図８】
0003217482.tif 000010
【図９】
0003217482.tif 000011
【図１０】
0003217482.tif 000012